(57)【要約】  【課題】  湯または水あるいは湯水混合水を吐水管から吐出させることができるコンパクトなシングルレバー式水栓を提供すること。  【解決手段】  水栓本体１内から吐水管２に送られる湯または水あるいは湯水混合水の流量を調整するための流量調整機構３が、固定ディスク７、この固定ディスク７上に回転移動可能に設けられた下側可動ディスク８およびこの下側可動ディスク８上に直線移動可能に設けられた上側可動ディスク９の三つのディスクと、上下方向の回動により前記上側可動ディスク９を直線移動させ、それによって、吐水状態と止水状態に切替えるとともに、吐水時において、左右方向の回動により前記下側可動ディスク８を回転移動させ、それによって、湯または水あるいは湯水混合水を前記吐水管２から吐出させうる一つの操作レバー１０とを有する。【選択図】  図１
2005076238.tif 000002
【特許請求の範囲】
【請求項１】
水栓本体内から吐水管に送られる湯または水あるいは湯水混合水の流量を調整するための流量調整機構が、固定ディスク、この固定ディスク上に回転移動可能に設けられた下側可動ディスクおよびこの下側可動ディスク上に直線移動可能に設けられた上側可動ディスクの三つのディスクと、上下方向の回動により前記上側可動ディスクを直線移動させ、それによって、吐水状態と止水状態に切替えるとともに、吐水時において、左右方向の回動により前記下側可動ディスクを回転移動させ、それによって、湯または水あるいは湯水混合水を前記吐水管から吐出させうる一つの操作レバーとを有することを特徴とするシングルレバー式水栓。
【請求項２】
水栓基部と、この水栓基部によって保持される吐水管と、前記水栓基部から吐水管に送られる湯または水あるいは湯水混合水の流量を調整するとともに、止水状態と吐水状態に切替えるための流量調整機構とを備えたシングルレバー式水栓であって、前記水栓基部は、前記流量調整機構を保持する空間と、前記流量調整機構に水を導入するための一つの水導入路、前記流量調整機構に湯を導入するための一つの湯導入路および前記流量調整機構からの水または湯あるいは湯水混合水を前記吐水管に導出するための一つの導出路を有しており、また、前記流量調整機構が、固定ディスク、この固定ディスク上に回転移動可能に設けた下側可動ディスクおよびこの下側可動ディスク上に直線移動可能に設けた上側可動ディスクの三つのディスクを有するとともに、一つの操作レバーを有し、更に、前記固定ディスクは、前記水導入路および湯導入路にそれぞれ連通する水導入貫通孔および湯導入貫通孔と前記導出路に連通する導出貫通孔の三つの貫通孔を有し、また、前記下側可動ディスクは、前記固定ディスクの前記水導入貫通孔または湯導入貫通孔に連通する一つの導入連通孔と前記固定ディスクの前記導出貫通孔に常時連通する導出連通孔の二つの連通孔を有し、更に、前記上側可動ディスクは、前記下側可動ディスクとの接合面に形成された凹部を有し、前記操作レバーの上下方向の回動により前記上側可動ディスクの前記凹部を前記下側可動ディスクの前記導入連通孔を閉塞する閉塞位置と、前記凹部を前記下側可動ディスクの前記導入連通孔および前記導出連通孔に跨がる開放位置とに移動させるよう構成される一方、前記操作レバーの左右方向の回動により前記下側可動ディスクの前記導入連通孔を前記固定ディスクの前記水導入貫通孔にまたは湯導入貫通孔にあるいは前記水導入貫通孔および湯導入貫通孔にまたがる状態で連通させるように構成してあることを特徴とするシングルレバー式水栓。
【発明の詳細な説明】
【技術分野】
【０００１】
この発明は、シングルレバー式水栓に関する。
【背景技術】
【０００２】
本出願人は、図５に示すような回転式操作ハンドル７１により水道水などを吐水する自在水栓７２に代えて、図４に示すような、水栓基部７９と、この水栓基部７９によって保持される吐水管７８と、前記水栓基部７９から吐水管７８に送られる水の流量を調整するための流量調整機構７５とを備えたシングルレバー式水栓７６を提案している。この水栓７６は、供給路８０が水配管に連通しており、流量調整機構７５は、水栓基部７９の収容空間Ｓ内に収容される図４に示すような二つのディスク７３，７４を有するものであり、操作レバー７７は上下方向に回動させる構成であることから、軸芯まわりに回動させる回転式操作ハンドル７１に比して、流量調整および止水のための操作をより小さい力で行うことが可能となる。また、前記水栓７６では、前記二つのディスク７３，７４がセラミックにより成形されていることから、水栓７６自体の耐久性、耐熱性が向上し、長寿命化を図ることができるとともに、完全な止水を行え、水漏れを確実に防いで無駄な吐水を防止することができるとともに、流量調整機構７５を、吐水管７８を保持する水栓基部７９に無駄なスペースを設ける必要無く組み込むことが可能であることから、その構成をコンパクトなものとすることができる。例えば、水栓基部７９の収容空間Ｓを形成する胴７９ａの外径Ｈは３０ｍｍである。
【０００３】
一方、図６、図７に示すように、シングルレバー式の湯水混合水栓Ｄは、湯流路８１ａ、水流路８１ｂから導入する湯、水を混合するための弁ユニット（カートリッジ）８２を内蔵している。この弁ユニット８２は、略円筒状のケース体８３を有し、弁ユニット８２の直下に位置する水栓胴体８４の上面部Ｑに着脱自在に設けられている。弁ユニット８２には混合湯水の吐出口Ｍが設けられ、この吐出口Ｍと、水栓胴体８４に設けられた混合湯水の導入口８５が連通するように構成されている。上面部Ｑには、弁ユニット８２の底面部８２ａの所定位置に形成された環状突起８２ｃが係合する位置決め用の係合溝８２ｄが形成されている。ケース体８３は、前記吐出口Ｍを形成するための孔８６と、湯流路８１ａに連通する湯孔（図示せず）と、水流路８１ｂに連通する水孔（図示せず）が開設されている。そして、前記弁ユニット８２は、ケース体８３内に、前記湯流路８１ａ，水流路８１ｂのそれぞれに連通される弁孔９３ａ，９３ｂ（図８参照）と湯水混合水流路８１ｃに連通される混合水用弁孔９３ｃとが開設された固定ディスク９３、この固定ディスク９３に水密状態に摺動自在に上載された可動ディスク９４、この可動ディスク９４の上方に回動自在に挿入された合成樹脂材よりなるガイド９５、およびガイド９５に回動自在でかつ傾動可能に枢支され上部に突出する栓棒９６を設けており、この栓棒９６にハンドル９７を固定している。すなわち、ケース体８２の底面部８２ａの上に固定ディスク９３と可動ディスク９４がこの順に設けられている。そして、前記ハンドル９７の操作によって前記弁ユニット８２内の可動ディスク９４の回動および平行移動を自在に行え、湯水混合栓Ｄは、ハンドル９７の傾動操作によって混合水の吐出流量を適宜に調節でき、その回動操作によって湯水の混合割合を適宜に調節できるように構成にされている。例えば、湯水の混合割合を調節するにあたり、ハンドル９７を左方向に回動するように力を加えたときには、図８（Ａ）に示すように、可動ディスク９４が栓棒９６の働きで回動し、前記湯水混合流路４ｃが湯用弁孔９３ａのみを混合水弁孔９３ｃと連通させるようになり、混合水弁孔９３ｃ側には熱湯のみが供給される。また、図８（Ｂ）に示すように、可動ディスク９４が栓棒９６の働きで回動し、前記湯水混合流路９４ｃに重なる湯用弁孔９３ａと水用弁孔９３ｂとの割合は、湯用弁孔９３ａの方が大きくなる。また逆に、ハンドル９７を右方向に回動するように力を加えたときには、図８（Ｃ）に示すように、可動ディスク９４がレバー９６の働きで回動し、前記湯水混合流路９４ｃに重なる湯用弁孔９３ａと水用弁孔９３ｂとの割合は、水用弁孔９３ｂの方が大きくなる。
【特許文献１】特開２００１−３２９５８２号公報
【特許文献２】特開２００２−０９８２４４号公報
【発明の開示】
【発明が解決しようとする課題】
【０００４】
しかしながら、前記弁ユニット８２のケース体８３の外径ｈは、前記シングルレバー式水栓７６の胴７９ａの外径Ｈよりも大きく例えば４０ｍｍであった。また、前記シングルレバー式水栓７６は前記シングルレバー式の湯水混合水栓Ｄよりも、胴７９ａの外径Ｈが１０ｍｍ程度小さくてコンパクトではあるが、水を前記吐水管７８から吐出させるだけで、前記シングルレバー式の湯水混合水栓Ｄのように適宜温度の湯水混合水も吐出できるコンパクトなシングルレバー式水栓が望まれる。
【０００５】
この発明は、上述の事柄に留意してなされたもので、その目的は、湯または水あるいは湯水混合水を吐水管から吐出させることができるコンパクトなシングルレバー式水栓を提供することである。
【課題を解決するための手段】
【０００６】
上記目的を達成するために、この発明のシングルレバー式水栓は、水栓本体内から吐水管に送られる湯または水あるいは湯水混合水の流量を調整するための流量調整機構が、固定ディスク、この固定ディスク上に回転移動可能に設けられた下側可動ディスクおよびこの下側可動ディスク上に直線移動可能に設けられた上側可動ディスクの三つのディスクと、上下方向の回動により前記上側可動ディスクを直線移動させ、それによって、吐水状態と止水状態に切替えるとともに、吐水時において、左右方向の回動により前記下側可動ディスクを回転移動させ、それによって、湯または水あるいは湯水混合水を前記吐水管から吐出させうる一つの操作レバーとを有する。
【０００７】
また、この発明は別の観点から、水栓基部と、この水栓基部によって保持される吐水管と、前記水栓基部から吐水管に送られる湯または水あるいは湯水混合水の流量を調整するとともに、止水状態と吐水状態に切替えるための流量調整機構とを備えたシングルレバー式水栓であって、前記水栓基部は、前記流量調整機構を保持する空間と、前記流量調整機構に水を導入するための一つの水導入路、前記流量調整機構に湯を導入するための一つの湯導入路および前記流量調整機構からの水または湯あるいは湯水混合水を前記吐水管に導出するための一つの導出路を有しており、また、前記流量調整機構が、固定ディスク、この固定ディスク上に回転移動可能に設けた下側可動ディスクおよびこの下側可動ディスク上に直線移動可能に設けた上側可動ディスクの三つのディスクを有するとともに、一つの操作レバーを有し、更に、前記固定ディスクは、前記水導入路および湯導入路にそれぞれ連通する水導入貫通孔および湯導入貫通孔と前記導出路に連通する導出貫通孔の三つの貫通孔を有し、また、前記下側可動ディスクは、前記固定ディスクの前記水導入貫通孔または湯導入貫通孔に連通する一つの導入連通孔と前記固定ディスクの前記導出貫通孔に常時連通する導出連通孔の二つの連通孔を有し、更に、前記上側可動ディスクは、前記下側可動ディスクとの接合面に形成された凹部を有し、前記操作レバーの上下方向の回動により前記上側可動ディスクの前記凹部を前記下側可動ディスクの前記導入連通孔を閉塞する閉塞位置と、前記凹部を前記下側可動ディスクの前記導入連通孔および前記導出連通孔に跨がる開放位置とに移動させるよう構成される一方、前記操作レバーの左右方向の回動により前記下側可動ディスクの前記導入連通孔を前記固定ディスクの前記水導入貫通孔にまたは湯導入貫通孔にあるいは前記水導入貫通孔および湯導入貫通孔にまたがる状態で連通させるように構成してあることを特徴とするシングルレバー式水栓を提供する。
【発明の効果】
【０００８】
この発明では、一つの操作レバーの上方向の回動により上側可動ディスクを直線移動させ、それによって吐水状態とした上で、前記操作レバーの左右方向の回動により下側可動ディスクを回転移動させることにより、水配管から供給される水だけではなく、湯配管から供給される湯または湯水混合水を吐水管から吐出させるコンパクトなシングルレバー式水栓を提供できる。
【０００９】
また、この発明では、一つの操作レバーの上方向の回動により上側可動ディスクを直線移動させ、それによって上側可動ディスクにおける下側可動ディスクとの接合面に形成された凹部を前記下側可動ディスクに設けた二つの導入連通孔および前記導出連通孔に跨がる開放位置に移動させた上で、前記操作レバーの例えば左方向の回動により下側可動ディスクを回転移動させることにより、下側可動ディスクの前記導入連通孔を前記固定ディスクの前記水導入貫通孔に連通させることで水配管から水を供給できるようにするとともに、前記操作レバーを例えば右方向に回動させることにより、下側可動ディスクの前記導入連通孔を前記固定ディスクの前記湯導入貫通孔に連通させることができて湯配管から湯を供給でき、更には、下側可動ディスクの前記導入連通が前記固定ディスクの前記水導入貫通孔と湯導入貫通孔をまたぐように前記操作レバーを回動させることにより、適宜温度の湯水混合水を吐水管から吐出させることができる。また、この発明では、通常のシングルレバー式の湯水混合水栓に比して胴径を小さくできる。
【発明を実施するための最良の形態】
【００１０】
以下、この発明の実施形態を、図を参照しながら説明する。なお、それによってこの発明は限定されるものではない。
【００１１】
図１〜図３は、この発明の一実施形態を示す。図１〜図３において、シングルレバー式水栓Ｄ’は、水栓基部（水栓本体）１と、この水栓基部１によって保持される吐水管２と、前記水栓基部１から吐水管２に送られる湯または水あるいは湯水混合水の流量を調整するとともに、止水状態と吐水状態に切替えるための流量調整機構３とを備えている。前記水栓基部１は、前記流量調整機構３を保持する空間Ｓ’と、前記流量調整機構３に水を導入するための一つの水導入路４、前記流量調整機構３に湯を導入するための一つの湯導入路５および前記流量調整機構３からの水または湯あるいは湯水混合水を前記吐水管２に導出するための一つの導出路６を有する。また、前記流量調整機構３は、セラミック製の固定ディスク７、この固定ディスク７上に回転移動可能に設けたセラミック製の下側可動ディスク８およびこの下側可動ディスク８上に直線移動可能に設けたセラミック製の上側可動ディスク９の三つのディスクを有するとともに、一つの操作レバー１０を有する。前記固定ディスク７は、前記水導入路４および湯導入路５にそれぞれ連通する水導入貫通孔１１および湯導入貫通孔１２と前記導出路６に連通する導出貫通孔１３の三つの貫通孔を有し、また、前記下側可動ディスク８は、前記固定ディスク７の前記水導入貫通孔１１または湯導入貫通孔１２に連通する一つの導入連通孔１４と前記固定ディスク７の前記導出貫通孔１３に常時連通する導出連通孔１５の二つの連通孔を有する。
【００１２】
下側可動ディスク８の前記導入連通孔１４は、入口である下端開口１４ａと出口である上端開口１４ｂを有する。上端開口１４ｂは円形であり、また、下端開口１４ａが上端開口１４ｂよりも面積が大きくなるように形成されている。また、前記導出連通孔１５は、入口である上端開口１５ａと出口である下端開口１５ｂを有する。上端開口１５ａは略楕円形であり、また、下端開口１５ｂは略三日月状であり、下端開口１５ｂが上端開口１５ａよりも面積が大きくなるように形成されている。
【００１３】
また、固定ディスク７の前記水導入貫通孔１１と湯導入貫通孔１２は同形であり、水導入貫通孔１１は、入口である下端開口１１ａと出口である上端開口１１ｂを有する。上端開口１１ｂは略菱形であり、また、下端開口１１ａは円形であり、下端開口１１ａが上端開口１１ｂよりも面積が大きくなるように形成されている。また、湯導入貫通孔１２は、入口である下端開口１２ａと出口である上端開口１２ｂを有する。上端開口１２ｂは略菱形であり、また、下端開口１２ａは円形であり、下端開口１２ａが上端開口１２ｂよりも面積が大きくなるように形成されている。固定ディスク７の前記導出貫通孔１３は、入口である上端開口１３ａと出口である下端開口１３ｂを有する。上端開口１３ａは略楕円形であり、また、下端開口１３ｂは円形でであり、上端開口１３ａが下端開口１３ｂよりも面積が大きくなるように形成されている。      
【００１４】
更に、上側可動ディスクは９、前記下側可動ディスク８との接合面に形成された凹部２０を有し、前記操作レバー１０の上下方向の回動により前記上側可動ディスク９の前記凹部２０を前記下側可動ディスク８の前記導入連通孔１４を閉塞する閉塞位置と、前記凹部２０を前記下側可動ディスク８の前記導入連通孔１４および前記導出連通孔１５に跨がる開放位置とに移動させるよう構成される。また、前記操作レバー１０の左右方向の回動により前記下側可動ディスク８の前記導入連通孔１４を、図３（Ｂ）に示すように、前記固定ディスク７の前記水導入貫通孔１１に連通させるように構成したり、または、図３（Ｃ）に示すように、前記導入連通孔１４を湯導入貫通孔１２に連通させるように構成したり、あるいは図示はしないが前記導入連通孔１４を前記水導入貫通孔１１および湯導入貫通孔１２にまたがる状態で連通させるように構成してある。
【００１５】
そして、下側可動ディスク８の周縁部の対向する位置には、下側支持部材２１の係合片２２，２２に係止される係合凹部２３，２３が設けられている。固定ディスク７は、水栓基部１の上面に設けた平面視リング状の凹所１ｄ内において内側および外側に設けられる環状の小パッキン２４および環状の大パッキン２５の上面に配置される。上側可動ディスク９の周縁部の対向する位置には、係止凹部２６，２６が設けられており、この係止凹部２６，２６に係止する係止片２７，２７を両端に垂下状に有するガイド２８が、上側可動ディスク９の上面に載設されている。このガイド２８は、たとえば合成樹脂材からなり、その上面には、突設体２９が設けられている。この突設体２９の中央部には、支持部３０が設けられている。下側支持部材２１は、たとえば合成樹脂製であり、下側支持部材２１に着脱自在に係止することが可能な上側支持部材３１が設けてある。上側支持部材３１は、下部の周縁部の対向する位置に垂下状に支持片３３，３３を有するとともに、上部には前記操作レバー１０を支持するための支持体３４を有している。前記係合片３３の下端部には、係止部３３ａが形成されている。上側支持部材３１は、その上面の中央部にガイド孔３６を有し、このガイド孔３６に直交する位置に貫通孔３７を有している。また、前記ガイド孔３６の両側壁の対向する位置には、突条体（図示せず）が形成されている。下側支持部材２１は、環状部材４０と、この環状部材４０の対向する位置に立設された係合片２２，２２とからなる。係合片２２の上端部には、上側支持部材３１の係止部３３ａに係止させることが可能な係止部４１が形成されている。操作レバー１０は、たとえば合成樹脂製であり、連動部材４３およびガイド２８を介して上側可動ディスク９と連動するように構成されている。連動部材４３は、たとえば金属材からなり、下部に軸孔４３ａを有するとともに、下端部に下端突子４３ｂを有している。そして、上側支持部材３１の貫通孔３７および軸孔４３ａを貫通するピン５０によって、連動部材４３は、その下部が上側支持部材３１のガイド孔３６を挿通し、前記下端突子４３ｂが前記ガイド２８の支持部３０に嵌入された状態に保持されることになる。また、連動部材４３は、前記ピン５０によって軸支される軸支部分に部分円弧面４３ｃを有しており、この部分円弧面４３ｃに前記突条体が摺接し、止水を司るように構成されている。操作レバー１０は、装着部１０ａと、この装着部１０ａの端部から前方へ延設された把持部１０ｂとからなる。装着部１０ａの内部には、前記連動部材４３の上部が嵌合される保持部１０ｃが形成されており、保持部１０ｃの螺孔１０ｄを挿通したネジ５５が、連動部材４３の嵌合凹部４３ｄに係止することで、操作レバー１０が連動部材４３に固定され、操作レバー１０を回動することにより、連動部材４３およびガイド２８を介して上側可動ディスク９が前後方向に移動する。
【００１６】
而して、図１に実線で示す操作レバー１０を上方向に動かすと、図３（Ｂ）に示すように上側可動ディスク９が前方向（ｇ方向）に移動することで、凹部２０を介して導入連通孔１４および前記導出連通孔１５が連通し吐出状態になる。続いて、操作レバー１０の右方向の回動により前記下側可動ディスク８の前記導入連通孔１４を、図３（Ｂ）に示すように、前記固定ディスク７の前記水導入貫通孔１１に連通させ、これにより水が吐出する。また、操作レバー１０の左方向の回動により図３（Ｃ）に示すように、前記導入連通孔１４を湯導入貫通孔１２に連通させ、これにより湯が吐出する。また、操作レバー１０を回動させて中央位置あるいはその左右位置に持ってくると導入連通孔１４を前記水導入貫通孔１１および湯導入貫通孔１２にまたがる状態で連通させることができ、適宜温度の湯水混合水が吐出する。
【００１７】
しかも、湯配管からの湯の供給と、水配管からの水の供給と、適宜温度の湯水混合水の供給とを、通常のシングルレバー式の湯水混合水栓に比して胴径を小さなコンパクト化されたシングルレバー式水栓Ｄ’から得ることができる。
【図面の簡単な説明】
【００１８】
【図１】この発明の一実施形態における使用状態を示す構成説明図である。
【図２】上記実施形態における流量調整機構を示す要部分解斜視図である。
【図３】（Ａ）は、上記実施形態における止水動作を示す構成説明図である。（Ｂ）は、水を吐出させる動作の手順を示す構成説明図である。（Ｃ）は、湯を吐出させる動作の手順を示す構成説明図である。（Ｄ）は、上記実施形態で用いた固定ディスクを示す下面図である。
【図４】従来例における使用状態を示す構成説明図である。
【図５】従来例の特徴を説明するために用いられた断面図である。
【図６】通常のシングルレバー式の湯水混合水栓を示す構成説明図である。
【図７】上記通常のシングルレバー式の湯水混合水栓の動作を示す構成説明図である。
【図８】上記通常のシングルレバー式の湯水混合水栓における二つのディスクの動作を示す図である。
【００１９】
１    水栓基部（水栓本体）
２    吐水管
３    流量調整機構
７    固定ディスク
８    下側可動ディスク
９    上側可動ディスク
１０  操作レバー
Ｄ’  シングルレバー式水栓
【図１】
2005076238.tif 000003
【図２】
2005076238.tif 000004
【図３】
2005076238.tif 000005
【図４】
2005076238.tif 000006
【図５】
2005076238.tif 000007
【図６】
2005076238.tif 000008
【図７】
2005076238.tif 000009
【図８】
2005076238.tif 000010